(57)【要約】【課題】  床衝撃音が階下に伝わることを緩和できるようにして、床衝撃音に対する遮音性能を高くすることができる遮音床構造を提供すること。【解決手段】  セメント板床材１２の上面に対して、当該セメント板床材１２の側面１２ａに平行して互いに間隔を隔てて複数のリブ５６が設けられ、この複数のリブ５６の上面に対して床材５５が敷設され、リブ５６どうしの間に形成されるリブ空間５８が、セメント板床材１２における当該リブ５６の延びる方向の端面で開口し、床材５５は、第２緩衝材５７を介してリブ５６上に敷設されている遮音床構造。【選択図】      図１５
2015074964.tif 000002
【特許請求の範囲】
【請求項１】
セメント板床材の上面に対して、当該セメント板床材の側面に平行して互いに間隔を隔てて複数のリブが設けられ、この複数のリブの上面に対して床材が敷設され、前記リブどうしの間に形成されるリブ空間が、前記セメント板床材における当該リブの延びる方向の端面で開口し、
前記床材は、緩衝材を介して前記リブ上に敷設されていることを特徴とする遮音床構造。
【請求項２】
セメント板床材の上面に対して、当該セメント板床材の側面に平行して互いに間隔を隔てて複数のリブが設けられ、この複数のリブの上面に対して床材が敷設され、前記リブどうしの間に形成されるリブ空間が、前記セメント板床材における当該リブの延びる方向の端面で開口し、
前記複数の各リブは、前記セメント板床材の上面に敷設された緩衝材の上面に設けられていることを特徴とする遮音床構造。
【請求項３】
複数の前記セメント板床材が梁の上に敷設され、これら複数の前記セメント板床材の互いに向い合う前記側面どうしの間に形成された目地に接合目地材が設けられ、
前記接合目地材は、前記目地を密封する構成であることを特徴とする請求項１又は２に記載の遮音床構造。
【請求項４】
同一の前記リブの上側又は下側に配置された前記緩衝材は、前記リブの延びる方向において互いに間隔を隔てて複数配置され、当該緩衝材どうしの間に衝撃音通路が形成されていることを特徴とする請求項１乃至３のいずれかに記載の遮音床構造。
【請求項５】
前記衝撃音通路は、前記リブと直交する直線方向に形成されていることを特徴とする請求項４に記載の遮音床構造。
【請求項６】
前記衝撃音通路は、前記リブと所定の１又は２以上の角度を成す１又は２以上の直線方向に形成されていることを特徴とする請求項４に記載の遮音床構造。
【請求項７】
前記緩衝材は、前記リブと略同一の幅に形成されていることを特徴とする請求項１乃至６のいずれかに記載の遮音床構造。
【請求項８】
請求項１乃至７のいずれかに記載の遮音床構造に使用されることを特徴とするセメント板床材。
【発明の詳細な説明】
【技術分野】
【０００１】
本発明は、床の重量衝撃音に対しての遮音性能を向上させて、マンション等の集合住宅の住環境の向上を図ることができる遮音床構造及びそれに使用されるセメント板床材に関する。
【背景技術】
【０００２】
プレハブ系の建築の集合住宅においては、床材として木質系の複合床材、ＡＬＣ（ＡＬＣとは、セメント、珪石、生石灰、アルミ粉末を主原料として発泡させ、オートクレーブ養生したパネル）、又は押出成形セメント板等が用いられる。
【０００３】
また、集合住宅における住民間の紛争においては、床の衝撃音に対しての遮音不良によるものが多く、特に上層階の騒音が下層階に与える影響は顕著である。
【０００４】
よって、従来よりも床の遮音性能の向上を図るために、種々の材料を組み合わせて高遮音性能を実現する床材が商品化されてきている。
【０００５】
しかし、上記高遮音性能を有する床材は、種々の材料を組み合わせて高遮音性能を実現するものであるため、その床材を製造するための手間とコストが嵩むし、複雑な製造工程が必要となり、品質の均一性を確保することが困難となることがある。
【０００６】
また、上記床の衝撃音には、軽量衝撃音と重量衝撃音があり、軽量衝撃音については、床の仕上げ材（フローリング材）等によって改善が可能であるが、重量衝撃音については、施工時の床材の材質及び工法によって決まってしまうため、床の設計段階から遮音性能の優れた床材及び工法を選択し、施工する必要がある。
【０００７】
そして、このような重量衝撃音を緩和させる構造として、上下の木質系板状体の間に桟材を設けて中空部を形成し、その中空部内に砂状体を充填することや、押出成形セメント板で形成された床パネルに砂状体を封入し遮音性能を向上させることが行われている。しかし、施工性やコスト面で十分なものとは言えなかった。
【０００８】
特に、重量衝撃音に含まれる２５０Ｈｚ以下の音域の遮音は難しく、従来では、床材の重量を増やし、床が振動し難くすることにより遮音性能を確保する手段を採用している。しかし、床材の重量が増加すると、床を支える下地鉄骨が大きくなり、コストアップ及び居室面積の減少に繋がっていた。
【０００９】
また、プレハブ系の住宅では、構造部材も規格化されていることから、床材の重量を大きくすると、構造体の支柱が増え、コストアップになってしまうという問題がある。
【００１０】
特許文献１（特開２００２−２０１７５４号公報）には、床衝撃音を低減する床の構造が記載されている。この床の構造は、床材が床受けビーム材によって支持され、この床受けビーム材が防振材を介して床梁に支持された構造となっている。
【００１１】
この床の構造によると、床材が衝撃を受けたときに生じる床材の振動を防振材によって低減することができるので、その衝撃によって生じる床衝撃音を小さくすることができる。
【先行技術文献】
【特許文献】
【００１２】
【特許文献１】特開２００２−２０１７５４号公報
【発明の概要】
【発明が解決しようとする課題】
【００１３】
しかし、特許文献１の床衝撃音を低減する床の構造では、床材が衝撃を受けたときに生じる床材の振動を防振材によって低減して、床衝撃音を小さくするものであるが、この床衝撃音が階下に伝わることを緩和することができる構成となっていないので、階下に伝わる床衝撃音を小さくするにも、或る一定の限界がある。
【００１４】
また、特許文献１の床の構造では、上記のように構造が複雑であるので、施工コストが嵩むという問題がある。
【００１５】
本発明は、上記のような課題を解決するためになされたものであり、床衝撃音が階下に伝わることを緩和することができるようにして、床衝撃音に対する遮音性能を高くすることができる遮音床構造及びそれに使用されるセメント板床材を提供することを目的としている。
【課題を解決するための手段】
【００１６】
本発明に係る遮音床構造は、セメント板床材の上面に対して、当該セメント板床材の側面に平行して互いに間隔を隔てて複数のリブが設けられ、この複数のリブの上面に対して床材が敷設され、前記リブどうしの間に形成されるリブ空間が、前記セメント板床材における当該リブの延びる方向の端面で開口し、前記床材は、緩衝材を介して前記リブ上に敷設されていることを特徴とするものである。
【００１７】
本発明に係る遮音床構造によると、セメント板床材の上面にリブを介して床材を敷設すると、このリブによって床材とセメント板床材とが互いに直接に接触する面積を小さくすることができる。これによって、床材が衝撃を受けたときに生じる振動が、セメント板床材に伝わる程度を小さくすることができ、その結果、この床材が衝撃を受けたときに発生する床衝撃音が階下に伝わることを効果的に緩和することができる。
【００１８】
そして、床材が衝撃を受けたときに発生する床衝撃音を、リブどうしの間に形成されるリブ空間に通して、セメント板床材における当該リブの延びる方向の端面に形成されたリブ空間の開口から逃がす（抜けさせる）ことができる。これによって、リブ空間を伝わる床衝撃音が階下に伝わることを緩和することができる。
【００１９】
また、緩衝材によると、床材が受けた衝撃を小さくすると共に、その衝撃によって生じる当該床材の振動を抑制することができる。これによって、この床材が衝撃を受けたときに発生する床衝撃音を小さくすることができる。
【００２０】
本発明に係る遮音床構造は、セメント板床材の上面に対して、当該セメント板床材の側面に平行して互いに間隔を隔てて複数のリブが設けられ、この複数のリブの上面に対して床材が敷設され、前記リブどうしの間に形成されるリブ空間が、前記セメント板床材における当該リブの延びる方向の端面で開口し、前記複数の各リブは、前記セメント板床材の上面に敷設された緩衝材の上面に設けられていることを特徴とするものである。
【００２１】
本発明に係る遮音床構造によると、緩衝材をリブの上面に設けた本発明に係る遮音床構造と同様の作用を奏する。
【００２２】
この発明に係る遮音床構造において、複数の前記セメント板床材が梁の上に敷設され、これら複数の前記セメント板床材の互いに向い合う前記側面どうしの間に形成された目地に接合目地材が設けられ、前記接合目地材は、前記目地を密封する構成とするとよい。
【００２３】
このように、接合目地材がセメント板床材の目地を密封する構成とすると、リブ空間を伝わる当該床衝撃音が目地を通って階下に伝わることを緩和することができる。
【００２４】
この発明に係る遮音床構造において、同一の前記リブの上側又は下側に配置された前記緩衝材は、前記リブの延びる方向において互いに間隔を隔てて複数配置され、当該緩衝材どうしの間に衝撃音通路が形成されているものとするとよい。
【００２５】
このようにすると、床材が衝撃を受けたときに発生する床衝撃音を、リブどうしの間に形成されるリブ空間に通して、当該リブ空間のセメント板床材の端面に形成されたリブ間の開口から逃がす（抜け出る）ことができると共に、当該リブ間の開口以外の緩衝材どうしの間に形成された衝撃音通路からも逃がす（抜けさせる）ことができる。これによって、床衝撃音を逃がすことができる通路を増加させることができるので、リブ空間を伝わる床衝撃音が階下に伝わることを更に緩和することができる。
【００２６】
この発明に係る遮音床構造において、前記衝撃音通路は、前記リブと直交する直線方向に形成されているものとするとよい。
【００２７】
このようにすると、床材が衝撃を受けたときに発生する床衝撃音を、互いに直交するリブ空間及び衝撃音通路に分散させて逃がす（抜けさせる）ことができる。
【００２８】
この発明に係る遮音床構造において、前記衝撃音通路は、前記リブと所定の１又は２以上の角度を成す１又は２以上の直線方向に形成されているものとするとよい。
【００２９】
このようにすると、床材が衝撃を受けたときに発生する床衝撃音を、リブ空間及び衝撃音通路によって複数の方向に分散させて逃がす（抜けさせる）ことができる。
【００３０】
この発明に係る遮音床構造において、前記緩衝材は、前記リブと略同一の幅に形成されているものとするとよい。
【００３１】
このようにすると、緩衝材の原材料費の低減、及び緩衝材の施工コストの低減を図ることができる。
【００３２】
本発明に係るセメント板床材は、本発明に係る遮音床構造に使用されることを特徴とするものである。
【００３３】
本発明に係るセメント板床材は、本発明に係る遮音床構造を構成するセメント板床材である。本発明に係るセメント板床材は、本発明に係る遮音床構造を構成するセメント板床材と同様の作用を奏することができる。
【発明の効果】
【００３４】
本発明に係る遮音床構造によると、床材が衝撃を受けたときに発生する床衝撃音を、リブどうしの間に形成されるリブ空間に通して、セメント板床材における当該リブの延びる方向の端面に形成されたリブ空間の開口から逃がす（抜けさせる）ことができるので、リブ空間を伝わる床衝撃音が階下に伝わることを緩和することができる。これによって、遮音性能の優れた遮音床構造を提供することができる。
【００３５】
そして、この遮音床構造によると、セメント板床材が衝撃を受けたときに発生する床衝撃音が、例えば階下に伝わることを効果的に緩和することができるので、快適な住環境を提供することができる。
【００３６】
また、本発明に係るセメント板床材によると、本発明に係る遮音床構造に使用することができ、このセメント板床材が使用された遮音床構造は、上記と同様の効果を奏する。
【図面の簡単な説明】
【００３７】
【図１】この発明を説明するための第１技術例に係る遮音床構造を示す斜視図である。
【図２】図１の遮音床構造を示す部分縦断面図である。
【図３】図１の遮音床構造の接合床部に衝撃を与えたときの接合床部の変形状態及び床衝撃音の伝搬を示す斜視図である。
【図４】床構造のセメント板床材に衝撃を与えたときのセメント板床材の変形状態及び床衝撃音の伝搬を示す斜視図である。
【図５】図３に示す遮音床構造及び図４に示す床構造の床衝撃音レベルの測定結果を示す図である。
【図６】同発明を説明するための第２技術例に係る遮音床構造を示す斜視図である。
【図７】同発明を説明するための第３技術例に係る遮音床構造を示す斜視図である。
【図８】同発明を説明するための第４技術例に係る遮音床構造を示す斜視図である。
【図９】同発明を説明するための第５技術例に係る遮音床構造を示す斜視図である。
【図１０】（ａ）は、同第１技術例の目地に設けられている位置ずれ防止構造を示す部分断面図、（ｂ）は、同発明を説明するための第６技術例の目地に設けられている位置ずれ防止構造を示す部分断面図である。
【図１１】（ａ）は、同発明を説明するための第７技術例の目地に設けられている位置ずれ防止構造を示す部分断面図、（ｂ）は、同発明を説明するための第８技術例の目地に設けられている位置ずれ防止構造を示す部分断面図である。
【図１２】同発明を説明するための第９技術例の目地に設けられている位置ずれ防止構造を示す部分断面図であり、（ａ）は、乾式樹脂目地材を目地に装着する前の状態を示す断面図、（ｂ）は、乾式樹脂目地材を目地に装着した状態を示す断面図である。
【図１３】本発明の第１実施形態に係る遮音床構造を示す部分断面斜視図である。
【図１４】セメント板床材にリブ及び床材を設けた床構造を示す部分断面図斜視図である。
【図１５】同発明の第１実施形態に係る遮音床構造において、床の衝撃音の伝搬を説明するための部分断面図であり、（ａ）は、部分断面正面図、（ｂ）は、部分断面斜視図である。
【図１６】同発明の第２実施形態に係る遮音床構造において、床の衝撃音の伝搬を説明するための部分断面図であり、（ａ）は、部分断面正面図、（ｂ）は、部分断面斜視図である。
【図１７】（ａ）は、同発明の第３実施形態に係る遮音床構造であり、後付けリブが短ピッチで取り付けられているものを示す部分断面図、（ｂ）は、同発明の第４実施形態に係る遮音床構造であり、後付けリブが長ピッチで取り付けられているものを示す部分断面図である。
【図１８】（ａ）は、同発明の第５実施形態に係る遮音床構造であり、一体リブが短ピッチで取り付けられているものを示す部分断面図、（ｂ）は、同発明の第６実施形態に係る遮音床構造であり、一体リブが長ピッチで取り付けられているものを示す部分断面図である。
【図１９】同発明の第７、８、９実施形態に係る遮音床構造の一部を示す斜視図であり、（ａ）は、第７実施形態であり、第２緩衝材がリブ上面の全体に亘って設けられているものを示す部分斜視図、（ｂ）は、第８実施形態であり、第２緩衝材が互いに間隔を隔ててリブ上面に設けられているものを示す部分斜視図、（ｃ）は、第９実施形態であり、第２緩衝材が互いに間隔を隔ててリブ上面に設けられている他の例を示す部分斜視図である。
【図２０】図１９（ａ）に示す同第７実施形態に係る遮音床構造において、リブ空間から２方向に床衝撃音が抜ける状態を示す斜視図である。
【図２１】図１９（ｂ）に示す同第８実施形態に係る遮音床構造において、リブ空間から４方向に床衝撃音が抜ける状態を示す斜視図である。
【図２２】図１９（ｃ）に示す同第９実施形態に係る遮音床構造において、リブ空間から放射方向に床衝撃音が抜ける状態を示す斜視図である。
【図２３】図１９（ａ）に示す同第７実施形態に係る遮音床構造において、リブ空間から２方向に床衝撃音が抜ける状態を示す一部省略平面図である。
【図２４】図１９（ｂ）に示す同第８実施形態に係る遮音床構造において、リブ空間から４方向に床衝撃音が抜ける状態を示す一部省略平面図である。
【図２５】図１９（ｃ）に示す同第９実施形態に係る遮音床構造において、リブ空間から放射方向に床衝撃音が抜ける状態を示す一部省略平面図である。
【図２６】図２３、図２４、図２５に示す遮音床構造の床衝撃音レベルの測定結果を示す図である。
【図２７】図１５、図１６に示す遮音床構造の床衝撃音レベルの測定結果を示す図である。
【図２８】同発明の第１０実施形態に係る遮音床構造を示す部分断面斜視図である。
【発明を実施するための形態】
【００３８】
以下、本発明に係る遮音床構造、及びそれに使用されるセメント板床材を説明するための第１技術例を、図１〜図５を参照して説明する。この遮音床構造１１及びセメント板床材１２は、建物の特に住宅、集合住宅等の床を形成するために適用され、例えば床が衝撃を受けたときに、その床衝撃音が上階から下階へ漏れないようにすることができるものである。そして、この遮音床構造１１は、床衝撃音のうち特に重量衝撃音（足音や飛び跳ねる音等）が上階から下階へ漏れないようにすることができるものである。
【００３９】
図１は、床を形成する１つの床単位１３を示す斜視図であり、この床単位１３に対して遮音床構造１１が適用されている。従って、床は、図１に示す床単位１３を１又は２以上施工することによって形成され、この１又は２以上の床単位１３で形成された床は、遮音床構造１１が適用されたものとなる。
【００４０】
この図１に示す遮音床構造１１は、枠状梁部１４と、接合床部１５とを備えている。
【００４１】
枠状梁部１４は、梁１４ａが略矩形の枠状に組まれて形成されたものであり、梁１４ａは、例えばＨ形鋼が使用されている。床単位１３を２つ以上含む床を施工するときは、梁１４ａを碁盤目状に組み付けることによって実現することができる。
【００４２】
接合床部１５は、図１に示すように、複数のセメント板床材１２と、複数の接合目地材１６とを備えている。複数のセメント板床材１２は、互いに平行して枠状梁部１４の上面に水平に配置されている。
【００４３】
接合目地材１６は、互いに隣合うセメント板床材１２の互いに向い合う側面１２ａどうしの間に形成された目地１７に設けられている。この接合目地材１６を介して互いに向い合うセメント板床材１２が互いに接合されて接合床部１５となっている。
【００４４】
そして、このように形成された接合床部１５は、その周縁部が枠状梁部１４と対応する大きさ及び形状の略矩形となるように形成され、当該接合床部１５の周縁部が枠状梁部１４の上面に例えば取付け金具２０によって取り付けられている。
【００４５】
図１に示す接合床部１５を構成する各セメント板床材１２は、セメント系中空パネルであり、例えば押出成形セメント板である。そして、このセメント板床材１２には、複数の中空部１８が互いに平行してこのセメント板床材１２の長手方向に形成されている。
【００４６】
図２は、接合床部１５の縁部を枠状梁部１４に取り付けている取付け構造１９を示している。この図２は、互いに隣合う２つの床単位１３の接合床部１５の互いに向い合う各縁部を共通の梁１４ａに取り付けている状態を示している。この共通の梁１４ａは、互いに隣合う２つの枠状梁部１４の一部を構成する共通の梁１４ａである。
【００４７】
図２に示すように、接合床部１５を構成する各セメント板床材１２は、取付け金具２０、ボルト２１及びナット２２を使用して、梁１４ａに取り付けられている。また、接合床部１５間の目地は、図２の２３に示すように、不燃性のパッキング材やガスケットを充填してもよい。そして、図２に現れているように、セメント板床材１２は、上面部１２ｂ、下面部１２ｃ、及び中空部１８を有している。また、中空部１８は、図１及び図２に示す隔壁部１２ｄによって区画されている。
【００４８】
次に、図１に示す接合床部１５において、複数のセメント板床材１２を、接合目地材１６を介して互いに接合する接合構造、即ち、位置ずれ防止構造２４について説明する。この位置ずれ防止構造２４は、例えば図１０（ａ）に示すように、一対のセメント板床材１２の互いに向い合う一対の側面１２ａ及び接合目地材１６によって構成され、セメント板床材１２が衝撃を受けたときに生じる振動によって、一方の側面１２ａが他方の側面１２ａに対して上下方向にずれることを防止するためのものである。
【００４９】
そして、この図１０（ａ）に示す位置ずれ防止構造２４は、一対のセメント板床材１２の目地１７を形成する互いに向い合う一対の各側面１２ａに設けられた上側凸部２５及び下側凸部２６と、この上側凸部２５と下側凸部２６との間に設けられた接合目地材１６とによって構成されている。この接合目地材１６は、例えばモルタル、グラウト材等の湿式目地材である。
【００５０】
次に上記のように構成された第１技術例の遮音床構造１１及びセメント板床材１２の作用を説明する。この図１に示す遮音床構造１１は、セメント板床材１２が受けた衝撃、特に重量衝撃によって生じる床衝撃音に対する遮音性能（例えば遮音特性）が、当該セメント板床材１２の衝撃に対する剛性の大きさに応じて高くなること、つまり、衝撃によって当該セメント板床材１２に生じる振動の振幅を小さくするほど遮音性能が高くなることに着目して発明されたものである。
【００５１】
この遮音床構造１１が備えている図１０（ａ）に示す位置ずれ防止構造２４によると、セメント板床材１２が衝撃を受けたときに生じる振動によって、目地１７を形成する互いに向い合うセメント板床材１２の一対の側面１２ａのうちの一方の側面１２ａが、他方の側面１２ａに対して上下方向にずれることを防止することができる。これによって、目地１７に接合目地材１６が設けられた複数のセメント板床材１２、即ち、接合床部１５の全体で衝撃を受け止めることができる。
【００５２】
従って、接合目地材１６で接合された複数のセメント板床材１２全体の剛性を、接合目地材１６で接合されていない複数の各セメント板床材の剛性よりも大きくすることができる。これによって、接合目地材１６で接合された複数のセメント板床材１２全体に生じる振動の振幅を、接合目地材１６で接合されていない複数の各セメント板床材に生じる振動の振幅よりも小さくすることができる。このようにして、このセメント板床材１２（接合床部１５）が衝撃を受けたときに発生する床衝撃音を小さくすることができる。
【００５３】
つまり、図１０（ａ）に示す位置ずれ防止構造２４によると、セメント板床材１２が衝撃を受けたときに生じる振動によって、目地１７を形成する一方の側面１２ａが他方の側面１２ａに対して上下方向にずれようとしたときに、各側面１２ａに設けられた上側凸部２５及び下側凸部２６の上下方向の移動が接合目地材１６によって係止される。これによって、当該一方の側面１２ａが他方の側面１２ａに対して上下方向にずれることを防止することができ、目地１７に接合目地材１６が設けられた複数のセメント板床材１２（接合床部１５）の全体で衝撃を受け止めることができる。
【００５４】
また、図１に示すように、接合床部１５の略矩形の周縁部の全体を、略矩形の枠状に組まれて形成された枠状梁部１４の上面に取り付けることによって、接合床部１５の略矩形の周縁部の全体が、略矩形の枠状に組まれて形成された枠状梁部１４の上面に支持される。これによって、接合床部１５の衝撃に対する剛性を更に大きくすることができる。よって、このセメント板床材１２が衝撃を受けたときに発生する床衝撃音を更に小さくすることができる。
【００５５】
そして、１又は２以上の床単位１３で遮音床構造を施工することができるので、所望の広さの床面積及び床形状の遮音床構造を施工することができる
このようにして、このセメント板床材１２が衝撃を受けたときに発生する床衝撃音を十分に小さくすることができ、床衝撃音に対する遮音性能を高くすることができるので、遮音性能の優れた遮音床構造１１を提供することができる。
【００５６】
そして、この遮音床構造１１によると、セメント板床材１２が衝撃を受けたときに発生する床衝撃音が、例えば階下に伝わることを効果的に緩和することができるので、快適な住環境を提供することができる。また、セメント板床材１２によると、遮音床構造１１に使用することができ、このセメント板床材１２が使用された遮音床構造１１は、上記と同様の作用、効果を奏する。
【００５７】
次に、図３〜図５を参照して、床衝撃音レベルの測定結果を説明する。この図５は、図３に示す位置ずれ防止構造２４を有する遮音床構造１１の床衝撃音レベルの測定結果「□」と、図４に示す位置ずれ防止構造２４を有しない床構造２７の床衝撃音レベルの測定結果「○」との間で遮音性能の違いを表したものである。
【００５８】
この遮音性能は、幅５００ｍｍ、長さ２０００ｍｍ、厚さ１００ｍｍの押出し成形セメント板の４枚の目地に接合目地材を設けたものと、接合目地材を設けていないものそれぞれの上面に、床下地材として厚さ１５ｍｍのパーティクルボードと、仕上げ材として厚さ１２ｍｍのフローリング材を貼り付けたもので床衝撃音レベルを測定したものである。
【００５９】
この図３に示す位置ずれ防止構造２４を有する遮音床構造１１は、図１に示す第１技術例の遮音床構造１１である。そして、図４に示す床構造２７と、図３に示す遮音床構造１１とが相違するところは、図３に示す遮音床構造１１は、目地１７に接合目地材１６が設けられているのに対して、図４に示す床構造２７では、目地１７に接合目地材１６が設けられていないところである。これ以外は、図４に示す床構造２７は、図３に示す遮音床構造１１と同一の構成であり、同等部分を同一の図面符号で示し、それらの説明を省略する。
【００６０】
また、図５に示す床衝撃音レベルとは、ＪＩＳＡ１４１８で規定される重量衝撃源（例えばタイヤ）を床面に落下させた時の下階における各周波数帯の床衝撃音の音圧レベルである。
【００６１】
この測定方法は、ピット等の上側開口部に被測定物であるセメント板床材を載置し、所定高さ（例えば６０ｃｍ〜９０ｃｍ）からタイヤを自由落下させる等して、その際に生じた床衝撃音を受音室に設置したマイクロホンによって検出するものである。
【００６２】
図５のＬ−３０〜Ｌ−８０は遮音等級であり、このＬ値が小さくなるほど遮音等級、即ち遮音性が上がる。また、遮音等級は、床衝撃音レベルが５ｄＢ下がるごとに、１ランク上がる。
【００６３】
つまり、図５に示すＬ値（Ｌ−８０、Ｌ−７０、・・・）は、上の階の床を叩いたときに生じた床衝撃音が、どれだけ下の階に伝わるかを意味するものである。このＬ値が小さいほど遮音性能が良いことを意味する。
【００６４】
図５から明らかなように、図３に示す遮音床構造１１は、図４に示す床構造２７よりも優れた遮音性能を有していることが分かる。
【００６５】
次に、本発明に係る遮音床構造の第２〜第５技術例を、図６〜図９を参照して説明する。この図６〜図９に示す第２〜第５技術例の遮音床構造３０、３１、３２、３３と、図１に示す第１技術例の遮音床構造１１とが相違するところは、図１に示す第１技術例では、接合床部１５が、その下面の外周縁部が直接に枠状梁部１４の上面に当接する状態でこの枠状梁部１４によって支持されている構成としたのに対して、図６〜図９に示す第２〜第５技術例では、接合床部１５が、その下面の外周縁部の一部又は全部が第１緩衝材３４を介して枠状梁部１４の上面に当接する状態でこの枠状梁部１４によって支持されている構成としたところである。これ以外は、第１技術例の遮音床構造１１と同等の構成であり同様に作用するので、同等部分を同一の図面符号で示しそれらの説明を省略する。
【００６６】
図６に示す第２技術例の遮音床構造３０は、接合床部１５の下面の矩形の外周縁部のうち、幅方向（中空部と直交する方向）の２つの縁部が第１緩衝材３４を介して枠状梁部１４の上面に当接する状態でこの枠状梁部１４によって支持されている。
【００６７】
図７に示す第３技術例の遮音床構造３１は、接合床部１５の下面の矩形の外周縁部を形成する幅方向の２つの縁部、及び長さ方向（中空部と平行する方向）の２つの縁部、即ち、接合床部１５の下面の矩形の外周縁部の全体が第１緩衝材３４を介して枠状梁部１４の上面に当接する状態でこの枠状梁部１４によって支持されている。
【００６８】
図８に示す第４技術例の遮音床構造３２は、接合床部１５の下面の矩形の外周縁部を形成する幅方向の２つの縁部、及び長さ方向の２つの縁部が第１緩衝材３４を介して枠状梁部１４の上面に当接する状態でこの枠状梁部１４によって支持されている。ただし、接合床部１５の下面の長さ方向の２つの各縁部に対しては、その縁部の長さ方向において互いに所定の間隔を隔てて複数の第１緩衝材３４が設けられている
図９に示す第５技術例の遮音床構造３３は、接合床部１５の下面の矩形の外周縁部を形成する幅方向の２つの縁部、及び長さ方向の２つの縁部が第１緩衝材３４を介して枠状梁部１４の上面に当接する状態でこの枠状梁部１４によって支持されている。ただし、接合床部１５の下面の長さ方向の２つの各縁部に対しては、それらの各縁部の略中央部に１つずつ所定長さの第１緩衝材３４が設け設けられている。
【００６９】
この第１緩衝材３４は、接合床部１５が受けた衝撃を低減するものであればよく、例えば合成樹脂製の発泡体シート、ゲル状シート、不織布を使用することができる。
【００７０】
これら図６〜図９に示す第２〜第５技術例の第１緩衝材３４によると、接合床部１５が受けた衝撃を小さくすると共に、その衝撃によって生じる当該接合床部１５の振動を抑制することができる。これによって、この接合床部１５が衝撃を受けたときに発生する床衝撃音を小さくすることができる。
【００７１】
そして、図６〜図９に示す第２〜第５技術例の遮音床構造３０〜３３によると、遮音床構造３０〜３３に要求される遮音性能を満たすように、必要とする範囲及び場所に所望の数の第１緩衝材３４を設けることができる。これによって、必要とされる適切な遮音性能を有する遮音床構造を提供することができる。
【００７２】
次に、本発明に係る遮音床構造の第６〜第９技術例を、図１０（ｂ）、図１１、及び図１２を参照して説明する。この図１０（ｂ）、図１１、及び図１２に示す第６〜第９技術例の遮音床構造３７、３８、３９、４０と、図１に示す第１技術例の遮音床構造１１とが相違するところは、位置ずれ防止構造４１、４２、４３、４４と２４とが相違するところである。
【００７３】
図１に示す第１技術例の位置ずれ防止構造２４では、図１０（ａ）に示すように、一対のセメント板床材１２の目地１７を形成する互いに向い合う一対の各側面１２ａに上側凸部２５及び下側凸部２６が設けられ、この上側凸部２５と下側凸部２６との間に形成された凹部の底面が平坦部として形成されている。
【００７４】
これに対して、図１０（ｂ）、図１１、及び図１２に示す第６〜第９技術例の位置ずれ防止構造３７〜４０では、一対のセメント板床材１２の目地１７を形成する互いに向い合う一対の各側面１２ａに上側凸部２５及び下側凸部２６が設けられ、この上側凸部２５と下側凸部２６との間に形成された凹部の底面に複数の溝部４５が設けられている。この複数の溝部４５は、例えばセメント板床材１２の目地１７を形成する側面１２ａの全範囲に亘って形成されている。
【００７５】
図１０（ｂ）に示す第６技術例の位置ずれ防止構造３７の複数の第１溝部４５は、断面Ｖ字形状に形成され、接合目地材１６として、モルタル、グラウト材等の湿式接合目地材が使用されている。
【００７６】
図１１（ａ）に示す第７技術例の位置ずれ防止構造の複数の第２溝部４５は、断面台形状に形成されている。この断面台形状の第２溝部４５は、当該溝部４５の目地１７内側に向かって開口する開口部が底部よりも幅が広がっている。接合目地材１６は、湿式接合目地材が使用されている。
【００７７】
図１１（ｂ）に示す第８技術例の位置ずれ防止構造は、溝部４５の底部が溝部４５の開口部からセメント板床材１２の上面側に向かって延びるように形成された第３溝部４５と、下面側に向かって延びるように形成された第４溝部４５と、断面台形状に形成された第５溝部４５とが形成されている。これら第３溝部４５、第５溝部４５、及び第４溝部４５は、セメント板床材１２の上面側から下面側に向かって順に形成されている。接合目地材１６は、湿式接合目地材が使用されている。
【００７８】
図１２（ａ）、（ｂ）に示す第９技術例の位置ずれ防止構造４０の複数の第６溝部４５は、断面直角三角形状に形成されている。そして、接合目地材として、例えば合成樹脂製の乾式接合目地材４６が使用されている。この乾式接合目地材４６は、帯状に形成されたものであり、両方の各側面には、複数の凸条４６ａが形成されている。この凸条４６ａは、断面直角三角形状に形成されている。
【００７９】
この第６溝部４５は、その底部が傾斜面として形成され、当該底部は、セメント板床材１２の上面側から下面側に向かうに従ってその深さが浅くなるように形成されている。そして、乾式接合目地材４６の凸条４６ａは、その側面が傾斜面として形成され、その傾斜面は、乾式接合目地材４６の上端部側から下端部側に向かうに従って凸条４６ａの高さが低くなるように、第６溝部４５と対応する形状に形成されている。
【００８０】
このように、第６溝部４５、及び乾式接合目地材４６の凸条４６ａを形成することによって、乾式接合目地材４６を目地１７に装着し易く、しかも、目地１７に装着された乾式接合目地材４６がその目地１７から外れ難くすることができる。
【００８１】
図１０（ｂ）、図１１、及び図１２に示す第６〜第９技術例の遮音床構造によると、接合床部が衝撃を受けたときに生じる振動によって、目地１７を形成する一方の側面１２ａが他方の側面１２ａに対して上下方向にずれようとしたときに、その側面１２ａの上下方向の移動が、各側面１２ａに設けられた各溝部４５に係合する接合目地材１６、４６によって係止される。これによって、当該一方の側面１２ａが他方の側面１２ａに対して上下方向にずれることを防止することができ、目地１７に接合目地材１６、４６が設けられた複数のセメント板床材１２の全体で衝撃を受け止めることができる。即ち、位置ずれ防止構造によって互いに接合された複数のセメント板床材１２の剛性を高めることができる。その結果、このセメント板床材１２が衝撃を受けたときに発生する床衝撃音を小さくすることができる。
【００８２】
そして、接合目地材は、湿式又は乾式接合目地材１６，４６を使用することができるので、施工の自由度を拡げることができる。
【００８３】
そして、図１１（ｂ）に示す第８技術例のように、第３〜第５溝部４５を設け、これら第３〜第５溝部４５に乾式接合目地材４６を係合させることによって、一対の各セメント板床材１２の側面１２ａの上下方向の位置ずれを確実に防止することができる。ただし、目地１７を形成する一対の側面１２ａの結合度合いを向上させるためには、湿式目地材１６を使用することが好ましい。
【００８４】
次に、本発明に係る遮音床構造の第１〜第６実施形態を、図１３〜図１８を参照して説明する。この図１３〜図１８に示す第１〜第６実施形態の遮音床構造４９、５０、５１、５２、５３、５４と、図１に示す第１技術例の遮音床構造１１とが相違するところは、図１に示す第１技術例では、接合床部１５の上面に、直接に床材（図示せず）が敷設される構成としたのに対して、図１３〜図１８に示す第１〜第６実施形態では、接合床部１５の上面と床材５５の下面との間に、複数のリブ５６及び第２緩衝材５７が配置されている構成としたところである。これ以外は、第１技術例の遮音床構造と同等の構成であり同様に作用するので、同等部分を同一の図面符号で示しそれらの説明を省略する。
【００８５】
この図１３に示す第１実施形態の遮音床構造４９は、セメント板床材１２の上面に対して、目地１７を形成する側面１２ａ（中空部１８）に平行して互いに間隔を隔てて複数のリブ５６が設けられ、この複数のリブ５６の上面に対して床材５５が敷設されている。そして、リブ５６どうしの間に形成されるリブ空間５８が、セメント板床材１２における当該リブ５６の延びる方向の端面で開口している（図１３参照）。また、接合目地材１６は、目地１７を密封する構成である。
【００８６】
そして、各リブ５６の上面には、第２緩衝材５７が配置されている。この第２緩衝材５７は、後述する。更に、床材５５は、床仕上げ材５５ａと、床下地材５５ｂとを有する構成である。
【００８７】
この図１３〜図１８に示す第１〜第６実施形態の遮音床構造４９〜５４によると、セメント板床材１２の上面に複数のリブ５６を介して床材５５を敷設したときは、このリブ５６によって床材５５とセメント板床材１２とが互いに直接に接触する面積を小さくすることができる。これによって、床材５５が衝撃を受けたときに生じる振動が、セメント板床材１２に伝わる程度を小さくすることができ、その結果、この床材５５が衝撃を受けたときに発生する床衝撃音が階下に伝わることを効果的に緩和することができる。
【００８８】
そして、図１３に示すように、床材５５が衝撃を受けたときに発生する床衝撃音を、リブ５６どうしの間に形成されるリブ空間５８に通して、セメント板床材１２における当該リブ５６の延びる方向の端面に形成されたリブ空間５８の開口から逃がす（抜けさせる）ことができる。これによって、リブ空間５８を伝わる床衝撃音（特に、６３Ｈｚ程度の重量衝撃音）が階下に伝わることを緩和することができる。
【００８９】
また、接合目地材１６は、セメント板床材１２の目地１７を密封する構成としたので、リブ空間５８を伝わる当該床衝撃音が目地１７を通って階下に伝わることを緩和することができる。
【００９０】
なお、この遮音床構造４９〜５４によって低減された床衝撃音は、例えば隣接する床単位のリブ空間５８を伝わせたり、この遮音床構造４９〜５４が実施されている階の室内側に戻すことにより効果的に緩和することができる。
【００９１】
また、図１３〜図１８に示す第１〜第６実施形態の遮音床構造４９〜５４は、複数の各リブ５６が、セメント板床材１２の上面であって、セメント板床材１２に形成された複数の各隔壁部１２ｄの上方位置に設けられている。この複数の各隔壁部１２ｄは、セメント板床材１２に形成されている複数の各中空部１８を区画するものである。この図１３に示す第１実施形態の遮音床構造４９の複数の各リブ５６は、断面矩形状に形成されている。
【００９２】
図１３に示すリブ５６の幅は、規格範囲内のセメント板床材１２に対して、１０〜１５０ｍｍであり、リブ５６の間隔は、３０〜５００ｍｍ、好ましくは５０〜１５０ｍｍとするとよい。
【００９３】
ここで、リブ５６の幅を１０ｍｍ未満とすると、床材５５を支持するための強度が不足する可能性がある。また、リブ５６の幅が１５０ｍｍを超えると、床衝撃音がリブ５６を通ってセメント板床材１２に伝搬する面積が大きくなり、遮音性能の向上の程度が極端に低くなる。また、リブ５６の間隔が３０ｍｍ未満とすると、リブ５６の本数が増加するため、床衝撃音がリブ５６を通ってセメント板床材１２に伝搬する面積が大きくなり、遮音性能の向上の程度が極端に低くなる。リブ５６の間隔が５００ｍｍを超えると、リブ空間５８が広くなり、床衝撃音の抜けが悪くなる。その結果、遮音性能の向上の程度が極端に低くなる。
【００９４】
また、図１３に示すように、セメント板床材１２に対して複数の中空部１８を形成すると、軽量で強度が大きく、しかも、セメント材料が少なくて済むセメント板床材１２を提供することができる。そして、複数の各リブ５６を、セメント板床材１２の上面であって複数の各隔壁部１２ｄの上方位置に設けることによって、強度の大きいセメント板床材１２を提供することができる。そして、このように強度の大きいセメント板床材１２よると、このセメント板床材１２が衝撃を受けたときに発生する床衝撃音を小さくすることができる。
【００９５】
図１４は、目地１７に接合目地材１６を設けていない床構造５９を示している。この床構造５９では、リブ空間５８を伝わる当該床衝撃音が目地１７を通って階下に伝わる可能性がある。
【００９６】
図１５（ａ）、（ｂ）は、図１３に示す遮音床構造４９において、床衝撃音がリブ空間５８を伝搬して、このリブ空間５８の開口から抜け出ている状態を示している。図１５（ａ）は、図１３に示す遮音床構造４９の部分断面正面図、図１５（ｂ）は、図１３に示す遮音床構造４９の部分断面斜視図である。
【００９７】
図１６（ａ）、（ｂ）に示す第２実施形態の遮音床構造５０の複数の各リブ５６は、セメント板床材１２と結合する下端部から上端部に向かうに従って幅が大きくなる形状、例えば断面逆台形状に形成されている。この図１６（ａ）、（ｂ）は、床衝撃音がリブ空間５８を伝搬して、このリブ空間５８の開口から抜け出ている状態を示している。図１６（ａ）は、遮音床構造５０の部分断面正面図、図１６（ｂ）は、遮音床構造５０の部分断面斜視図である。
【００９８】
この図１６（ａ）、（ｂ）に示す第２実施形態の遮音床構造５０によると、各リブ５６の側面５６ａが傾斜面として形成されている。このようにリブ５６の側面５６ａを傾斜面とすると、床材５５が衝撃を受けたときに発生する床衝撃音を、リブ５６どうしの間に形成されるリブ空間５８に通して、セメント板床材１２における当該リブ５６の延びる方向の端面に形成されたリブ空間５８の開口から効果的に逃がす（抜けさせる）ことができる。
【００９９】
その理由は、リブ５６の側面５６ａを傾斜面として形成した場合は、リブ５６の側面を垂直面として形成した場合と比較して、リブ空間５８を伝わる床衝撃音が、セメント板床材１２の上面と床材５５の下面との間で反射を繰り返す時間を短くして、床衝撃音をリブ空間５８の開口から早期に逃がすことができるからであると考えられる。このことは、後述する図２７に示す床衝撃音レベルの測定結果によって確認されている。
【０１００】
図１６に示すリブ５６の下部の幅は、規格範囲内のセメント板床材１２に対して１０〜１５０ｍｍ、上部の幅は、下部の幅に対して＋１ｍｍ以上＋１００ｍｍ以下、好ましくは、＋２ｍｍ以上＋５５ｍｍ以下であり、リブ５６の間隔は、リブ５６の下部を基準にして３０〜５００ｍｍ、好ましくは５０〜２５０ｍｍとするとよい。
【０１０１】
そして、リブ５６の幅が１０ｍｍ未満とすると、床材５５を支持するための強度が不足する。また、リブ５６の幅が１５０ｍｍを超えると、床衝撃音がリブ５６を通ってセメント板床材１２に伝搬する面積が大きくなり、遮音性能の向上の程度が極端に低くなる。また、リブ５６の上部の幅が下部の幅に対して＋１ｍｍ未満としたり、＋１００ｍｍを超えるようにすると、リブ５６の斜面（側面）で反射する床衝撃音を、セメント板床材１２の端面に形成されるリブ空間５８の開口から逃がすことができる程度が低くなるため、遮音性能の向上の程度が極端に低くなる。
【０１０２】
そして、リブ５６の間隔が３０ｍｍ未満とすると、リブ５６の本数が増加するため、床衝撃音がリブ５６を通ってセメント板床材１２に伝搬する面積が大きくなり、遮音性能の向上の程度が極端に低くなる。リブ５６の間隔が５００ｍｍを超えると、リブ空間５８が広くなり、床衝撃音の抜けが悪くなる。その結果、遮音性能の向上の程度が極端に低くなる。
【０１０３】
図１７（ａ）、（ｂ）に示す第３及び第４実施形態の遮音床構造５１、５２の複数の各リブ５６は、セメント板床材１２に対して後付けされたものである。つまり、複数の各リブ５６は、セメント板床材１２が製造された後に、このセメント板床材１２の上面に設けられている。
【０１０４】
図１７（ａ）に示す第３実施形態の遮音床構造５１は、複数の各リブ５６の幅が狭く、リブ５６の間隔が狭いものを示す例である。
【０１０５】
図１７（ｂ）に示す第４実施形態の遮音床構造５２は、複数の各リブ５６の幅が広く、リブ５６の間隔が広いものを示す例である。
【０１０６】
図１８（ａ）、（ｂ）に示す第５及び第６実施形態の遮音床構造５３、５４の複数の各リブ５６は、セメント板床材１２と一体物として形成されたものである。つまり、複数の各リブ５６は、セメント板床材１２と一体物として同時に押出し成形されて形成されている。
【０１０７】
このように、複数の各リブ５６を、セメント板床材１２と一体物として形成すると、セメント板床材１２の断面二次モーメントが大きくなり、セメント板床材１２の剛性を上げることができ、床衝撃音遮音性能を向上させることができる。
【０１０８】
この断面二次モーメントは、セメント板床材１２において、その中空部１８の長さ方向に直交する断面を通り、かつ、当該セメント板床材１２の板面に平行する軸線に関するものである。
【０１０９】
図１８（ａ）に示す第５実施形態の遮音床構造５３は、複数の各リブ５６の幅が狭く、リブ５６の間隔が狭いものを示す例である。
【０１１０】
図１８（ｂ）に示す第６実施形態の遮音床構造５４は、複数の各リブ５６の幅が広く、リブ５６の間隔が広いものを示す例である。
【０１１１】
次に、本発明に係る遮音床構造の第７〜第９実施形態を、図１９〜図２７を参照して説明する。この図１９〜図２７に示す第７〜第９実施形態の遮音床構造６１、６２、６３は、図１３示す第１実施形態の遮音床構造４９が備えている第２緩衝材５７の構成を限定するものである。これ以外は、第１実施形態の遮音床構造４９と同等の構成であり同様に作用するので、同等部分を同一の図面符号で示しそれらの説明を省略する。
【０１１２】
図１９（ａ）、（ｂ）、（ｃ）に示す第７〜第９実施形態の遮音床構造６１〜６３は、複数の各リブ５６の上面に第２緩衝材５７を設けたものである。床材５５は、複数の第２緩衝材５７及びリブ５６を介してセメント板床材１２によって支持される。第２緩衝材５７は、第１緩衝材３４と同等のものである。
【０１１３】
これら図１９〜図２７に示す第７〜第９実施形態の第２緩衝材５７によると、床材５５が受けた衝撃を小さくすると共に、その衝撃によって生じる当該床材５５の振動を抑制することができる。これによって、この床材５５が衝撃を受けたときに発生する床衝撃音を小さくすることができる。
【０１１４】
図１９（ａ）に示す第７実施形態の遮音床構造６１は、複数の各リブ５６の上面全体に亘って第２緩衝材５７を設けたものである。
【０１１５】
このようにすると、図２０及び図２３に示すように、床材５５が衝撃を受けたときに発生する床衝撃音を、複数の各リブ空間５８を伝搬させて、各リブ空間５８の両端の開口から２方向に逃がす（抜けさせる）ことができる。ただし、図２０では、リブ５６、第２緩衝材５７、及びリブ空間５８は、図示していない。
【０１１６】
図１９（ｂ）、（ｃ）に示す第８及び第９実施形態の遮音床構造６２、６３の第２緩衝材５７は、以下のように配置されている。つまり、同一のリブ５６上に配置された第２緩衝材５７は、当該リブ５６の延びる方向において互いに間隔を隔てて複数配置され、当該第２緩衝材５７どうしの間に衝撃音通路６４が形成されている構成となっている（図２１、図２２、図２４、及び図２５参照）。
【０１１７】
このようにすると、床材５５が衝撃を受けたときに発生する床衝撃音を、リブ５６どうしの間に形成されるリブ空間５８に通して、当該リブ空間５８のセメント板床材１２の端面に形成されたリブ５６間の開口から逃がす（抜け出る）ことができると共に、当該リブ５６間の開口以外の第２緩衝材５７どうしの間に形成された衝撃音通路６４からも逃がす（抜けさせる）ことができる。これによって、床衝撃音を逃がすことができる通路を増加させることができるので、リブ空間５８を伝わる床衝撃音が階下に伝わることを更に緩和することができる。
【０１１８】
なお、この遮音床構造６１〜６３によって低減された床衝撃音は、上記と同様に、例えば隣接する床単位のリブ空間５８を伝わせたり、この遮音床構造６１〜６３が実施されている階の室内側に戻すことにより効果的に緩和することができる。
【０１１９】
図１９（ｂ）に示す第８実施形態の遮音床構造６２は、衝撃音通路６４がリブ５６と直交する直線方向に形成されているものである（図２１及び図２４参照）。このように衝撃音通路６４が形成されるように、第２緩衝材５７が、リブ５６の延びる方向において互いに間隔を隔てて複数配置されている。
【０１２０】
このようにすると、図２１及び図２４に示すように、床材５５が衝撃を受けたときに発生する床衝撃音を、互いに直交するリブ空間５８及び衝撃音通路６４に分散させて４方向に逃がす（抜けさせる）ことができる。ただし、図２１では、リブ５６、第２緩衝材５７、及びリブ空間５８は、図示していない。
【０１２１】
図１９（ｃ）に示す第９実施形態の遮音床構造６３は、衝撃音通路６４がリブ５６と所定の２つの角度（略９０°と略４５°）を成す２本の直線方向に形成されているものである（図２２及び図２５参照）。このように衝撃音通路６４が形成されるように、第２緩衝材５７が、リブ５６の延びる方向において互いに間隔を隔てて複数配置されている。
【０１２２】
このようにすると、図２２及び図２５に示すように、床材５５が衝撃を受けたときに発生する床衝撃音を、リブ空間５８及び衝撃音通路６４によって複数の方向に分散させて放射方向に逃がす（抜けさせる）ことができる。
【０１２３】
ただし、衝撃音通路６４がリブ５６と所定の２以上の角度（略９０°、略６０°、略３０°、・・・）を成す２以上の直線方向に形成されているものとしてもよい。なお、図２２では、リブ５６、第２緩衝材５７、及びリブ空間５８は、図示していない。
【０１２４】
次に、図２６に示す床衝撃音レベルの測定結果を説明する。図２６は、幅５００ｍｍ、長さ２０００ｍｍ、厚さ１００ｍｍの押出し成形セメント板の４枚の目地に接合目地材を設け、表面に長さ２０００ｍｍ、幅５０ｍｍ、厚さ２０ｍｍのリブを１６７ｍｍピッチで取り付け、その上面に長さ１００ｍｍ又は２０００ｍｍ、幅５０ｍｍ、厚さ１５ｍｍの第２緩衝材を取り付け、その上面に床下地材として厚さ１５ｍｍのパーティクルボードと、床仕上げ材として厚さ１２ｍｍのフローリング材を貼り付けたもので床衝撃音レベルを測定したものである。
【０１２５】
なお、長さ１００ｍｍの第２緩衝材５７は、床衝撃音抜き２方向の遮音床構造では、１つのリブの長さ方向に対して１０枚を均等な間隔で取り付け、床衝撃音抜き放射方向の遮音床構造では、１つのリブの長さ方向に対して１０枚又は９枚を千鳥配置となるように取り付けている。
【０１２６】
図２６の「□」で示す床衝撃音レベルの測定結果は、図２０に示す床衝撃音抜け２方向の遮音床構造６１のものである。図２６の「△」で示す床衝撃音レベルの測定結果は、図２１に示す床衝撃音抜け４方向の遮音床構造６２のものである。図２６の「●」で示す測定結果は、図２２に示す床衝撃音抜け放射方向の遮音床構造６３のものである。
【０１２７】
図２６から明らかなように、「●」で示す遮音床構造６３が最も遮音性能が優れており、次に、「△」、「□」で示す遮音床構造６２、６１の順で遮音性能が優れていることが分かる。よって、床衝撃音がリブ空間５８を通って遮音床構造の外周面から外側に抜け易くしたものほど、遮音性能が向上することが分かる。
【０１２８】
次に、図２７に示す床衝撃音レベルの測定結果を説明する。図２７は、幅５００ｍｍ、長さ２０００ｍｍ、厚さ１００ｍｍの押出し成形セメント板の４枚の目地に接合目地を設け、表面に長さ２０００ｍｍ、上側の幅５０ｍｍ、下側の幅４０ｍｍ又は上下の各幅が同じ５０ｍｍ、厚さ２０ｍｍの断面逆台形又は矩形状のリブを１６７ｍｍピッチで取り付け、その上面に長さ２０００ｍｍ、幅５０ｍｍ、厚さ１５ｍｍの第２緩衝材を取り付け、その上面に床下地材として厚さ１５ｍｍのパーティクルボードと、床仕上げ材として厚さ１２ｍｍのフローリング材を貼り付けたもので床衝撃音レベルを測定したものである。
【０１２９】
図２７の「□」で示す床衝撃音レベルの測定結果は、図１５に示す床衝撃音抜け２方向、かつ、断面矩形状リブ５６の遮音床構造４９のものである。図２７の「△」で示す床衝撃音レベルの測定結果は、図１６に示す床衝撃音抜け２方向、かつ、断面逆台形状リブ５６の遮音床構造５０のものである。
【０１３０】
図２７から明らかなように、遮音性能は、「△」で示す遮音床構造５０の方が「□」で示す遮音床構造４９よりも優れていることが分かる。これによっても、床衝撃音がリブ空間５８を通って遮音床構造の外周面から外側に抜け易くしたものほど、遮音性能が向上することが分かる。
【０１３１】
ただし、上記各実施形態では、図１、図２、図１５、及び図１６等に示す断面形状のセメント板床材１２を例に挙げたが、これ以外の断面形状を有するセメント板床材に対して本発明を適用することができる。
【０１３２】
そして、図１９〜図２７に示す第７〜第９実施形態では、図１３示す第１実施形態の遮音床構造４９が備えている第２緩衝材５７の構成を図１９（ａ）、（ｂ）、（ｃ）に示すように限定したが、これに代えて、図１６〜図１８に示す第２〜第６実施形態の遮音構造５０〜５４が備えている第２緩衝材５７の構成を図１９（ａ）、（ｂ）、（ｃ）に示すようにしてもよい。
【０１３３】
また、図２８に示すように、各リブ５６は、セメント板床材１２の上面に対して敷設された各第２緩衝材５７の上面に設けた構成としてもよい。この場合も、図１３に示すように、第２緩衝材５７をリブ５６の上面に対して設けたものと同等の効果を得ることができる。
【０１３４】
また、上記実施形態では、例えば図１０に示すように、目地１７に対して位置ずれ防止構造２４等を適用したが、この位置ずれ防止構造２４等を適用しなくてもよい。
【０１３５】
更に、上記実施形態では、図１に示すように、枠状梁部１４にセメント板床材１２を敷設したが、これ以外の構造の梁に敷設されるセメント板床材１２本発明を適用してもよい。
【０１３６】
そして、上記実施形態で説明した床下地材５５ｂ及び床仕上げ材５５ａは、互いに隣接する床単位１３を跨いで取り付けてもよい。
【産業上の利用可能性】
【０１３７】
以上のように、本発明に係る遮音床構造及びそれに使用されるセメント板床材は、複数のセメント板床材全体の剛性を大きくすることによって、複数のセメント板床材全体に生じる振動の振幅を小さくして、床衝撃音に対する遮音性能を高くすることができる優れた効果を有し、このような遮音床構造及びそれに使用されるセメント板床材に適用するのに適している。
【符号の説明】
【０１３８】
１１  遮音床構造
１２  セメント板床材
１２ａ  側面
１２ｂ  上面部
１２ｃ  下面部
１２ｄ  隔壁部
１３  床単位
１４  枠状梁部
１４ａ  梁
１５  接合床部
１６  接合目地材
１７  目地
１８  中空部
１９  取付け構造
２０  取付け金具
２１  ボルト
２２  ナット
２３  パッキング材
２４  位置ずれ防止構造
２５  上側凸部
２６  下側凸部
２７  床構造
３０、３１、３２、３３  遮音床構造
３４  第１緩衝材
３７、３８、３９、４０  遮音床構造
４１、４２、４３、４４  位置ずれ防止構造
４５  溝部
４６  乾式接合目地材
４６ａ  凸条
４９、５０、５１、５２、５３、５４、６５  遮音床構造
５５  床材
５５ａ  床仕上げ材
５５ｂ  床下地材
５６  リブ
５６ａ  側面
５７  第２緩衝材（緩衝材）
５８  リブ空間
５９  床構造
６１、６２、６３  遮音床構造
６４  衝撃音通路
【図１】
2015074964.tif 000003
【図２】
2015074964.tif 000004
【図３】
2015074964.tif 000005
【図４】
2015074964.tif 000006
【図５】
2015074964.tif 000007
【図６】
2015074964.tif 000008
【図７】
2015074964.tif 000009
【図８】
2015074964.tif 000010
【図９】
2015074964.tif 000011
【図１０】
2015074964.tif 000012
【図１１】
2015074964.tif 000013
【図１２】
2015074964.tif 000014
【図１３】
2015074964.tif 000015
【図１４】
2015074964.tif 000016
【図１５】
2015074964.tif 000017
【図１６】
2015074964.tif 000018
【図１７】
2015074964.tif 000019
【図１８】
2015074964.tif 000020
【図１９】
2015074964.tif 000021
【図２０】
2015074964.tif 000022
【図２１】
2015074964.tif 000023
【図２２】
2015074964.tif 000024
【図２３】
2015074964.tif 000025
【図２４】
2015074964.tif 000026
【図２５】
2015074964.tif 000027
【図２６】
2015074964.tif 000028
【図２７】
2015074964.tif 000029
【図２８】
2015074964.tif 000030